(57)【要約】【課題】表示装置に画像を表示しながら、音響情報を視覚的に認識することができると共に、画像の興趣を高めることができる音響情報表示装置を提供する。【解決手段】カーナビゲーション装置１の制御部９は、表示部６に地図画面を表示する。これにより、地図画面で現在地を確認することができるので、目的地に到達することができる。ここで、音響機器１７により音楽を聴いている際に、例えば音響情報を見たい場合は、それを指令する。すると、制御部９は、音響機器１７から音響情報を取得し、それを地図画面に反映させるので、地図画面を見ながら音響情報を視覚的に認識することができる。【選択図】  図１
2004226623.tif 000002
【特許請求の範囲】
【請求項１】
表示器に所定画面を表示する表示手段と、
音響機器から出力される音響情報を取得する音響情報取得手段とを備え、
前記表示手段は、前記音響情報取得手段が取得した音響情報に基づいて前記表示器に表示している現在の表示画面に音響情報を視覚的に反映させることを特徴とする音響情報表示装置。
【請求項２】
前記表示手段は、前記表示器に表示している現在の表示画面の表示色を変更することにより音響情報を視覚的に反映させることを特徴とする請求項１記載の音響情報表示装置。
【請求項３】
前記表示手段は、前記表示器に表示している現在の表示画面の意匠を変更することにより音響情報を視覚的に反映させることを特徴とする請求項１記載の音響情報表示装置。
【請求項４】
前記表示手段は、前記表示器に表示している現在の表示画面に演出データを表示することにより音響情報を視覚的に反映させることを特徴とする請求項１記載の音響情報表示装置。
【発明の詳細な説明】
【０００１】
【発明の属する技術分野】
本発明は、表示器に音響機器からの音響情報を表示する音響情報表示装置に関する。
【０００２】
【従来の技術】
従来は、音響情報を視覚的に見えるように表示する手段の一例として、各バンドの周波数成分レベルを示すスペクトラムアナライザ表示するものが供されている。
【０００３】
【特許文献１】特開平８−２９７１４５号公報
【０００４】
【発明が解決しようとする課題】
しかしながら、車両に搭載されている表示装置の場合には、表示装置に各種情報を表示する必要から、音響機器から取得した各バンドの周波数成分レベルを示すスペクトラムアナライザ表示も可能としており、表示装置にナビゲーション装置からの地図画面を表示している際に音響機器からのスペクトラムアナライザを見たいときは、地図表示をスペクトラムアナライザ表示に切換えなければならず、地図画面を見ることができないという問題を生じる。
【０００５】
一方において、表示装置に表示している地図画面は、単調であり、興趣を高めることが望まれているものの、特開平８−２９７１４５号公報のものでは、スペクトラムアナライザ表示を円柱や角柱で表現するだけのものであって、地図画面の表示の興趣を高めるものではない。
【０００６】
本発明は上記事情に鑑みてなされたものであり、その目的は、表示装置に所定画面を表示しながら、音響情報を視覚的に認識することができると共に、表示画面の興趣を高めることができる音響情報表示装置を提供することにある。
【０００７】
【課題を解決するための手段】
請求項１の発明によれば、表示手段は、表示器に所定画面を表示している最中に、音響機器から音響情報を取得したときは、その表示画面に音響情報を視覚的に反映させる。これにより、使用者は、所定画面を見ながら音響情報を視覚的に認識することができる。
【０００８】
請求項２の発明によれば、使用者は、表示器に表示されている現在の表示画面の表示色が変更することにより音響情報を視覚的に認識することができる。
請求項３の発明によれば、使用者は、表示器に表示されている現在の表示画面の意匠が変更することにより音響情報を視覚的に認識することができる。
請求項４の発明によれば、使用者は、表示器に表示されている現在の表示画面に演出データが表示されることにより音響情報を視覚的に認識することができる。
【０００９】
【発明の実施の形態】
以下、本発明の一実施の形態を図１ないし図５に基づいて説明する。
図１は、カーナビゲーション装置の全体の電気的構成を機能ブロックの組み合わせにより概略的に示している。この図１において、カーナビゲーション装置１は、位置検出部２、地図データ入力部３、スイッチ情報入力部４、メモリ部５、表示部（表示器に相当）６、音声出力部７、データ通信部８などを、マイコンを主体として成る制御部（表示手段及び音響情報取得手段に相当）９に接続して構成されている。
【００１０】
これらのうち、位置検出部２は、周知のように、ＧＰＳ衛星からの電波に基づいて車両の位置情報を得るために用いられるＧＰＳセンサや、ジャイロセンサ、車速センサなどから構成され、車両の現在位置、進行方向、高度などを高精度に検出する部分である。尚、要求される検出精度の如何によっては上記したセンサをすべて備える必要はなく、どれか一つを備えていれば良く、また、上記以外のセンサを採用することも可能である。
【００１１】
地図データ入力部３は、地図データやそれに付随する目的地検索用のデータ（目的地データや所謂タウンページデータなど）、合成音声データなどの各種データを記憶した地図データ記録媒体からデータを読み込むためのドライブ装置から成り、その地図データ記録媒体としては、ＣＤ−ＲＯＭ或いはＤＶＤ−ＲＯＭなどの大容量記憶媒体が用いられる。
【００１２】
このとき、前記地図データは、道路形状、道路幅、道路名などの道路データ群、建造物データ群、地形データ群などを含むと共に、その地図を表示部６の画面上に再生するためのデータ、さらには、主要な地名や建造物名などを文字表示するための文字データを含んで構成されている。
【００１３】
スイッチ情報入力部４は、詳しく図示はしないが、表示部６の画面近傍に設けられたメカスイッチや、表示部６の画面上に設けられたタッチパネルを含んで成り、ユーザ（車両運転者）は、それらスイッチ情報入力部４を用いて、経路案内動作のための目的地の設定や、表示部６に表示される道路地図の縮尺の選択などの各種のコマンドを入力できるようになっている。尚、必要に応じて、このスイッチ情報入力部４と同等の機能を有するリモコンが設けられることもある。
【００１４】
メモリ部５は、例えばＲＯＭ、ＲＡＭ及びＥＥＰＲＯＭを含んで構成されており、ＲＯＭにはナビゲーションに係るプログラムが格納され、ワーキングエリアとして機能するＲＡＭには地図データ入力部３を通じて取得した地図データなどが一時的に格納され、ＥＥＰＲＯＭには電源遮断時にも保持が必要なデータが格納されるようになっている。
【００１５】
表示部６は、例えばフルカラー液晶ディスプレイから成り、その画面には、通常時には、車両の現在地周辺の地図が選択設定された縮尺で表示されると共に、その表示に重ね合せて、車両の現在位置及び進行方向を示す現在地マークが選択的に表示されるようになっている。また、表示部６には、ユーザが目的地などの各種の入力を行なうための入力用画面や、各種のメッセージなども表示されるようになっている。さらに、目的地までの経路探索、経路案内の機能の実行時には、地図に重ね合せて進むべき経路や目的地を示すマーク、経路周辺のランドマークなども表示されるようになっている。
【００１６】
音声出力部７は、前記地図データ入力部３を通じて得られる前記合成音声データに基づいて、経路案内時における音声ガイドや、操作説明の音声ガイドを出力するようになっている。
データ通信部８は、外部装置との間での双方向通信機能を備えたものである。そして、制御部９は、そのソフトウエア的構成により、地図データ取得部１０、マップマッチング部１１、経路計算部１２、経路案内部１３、描画部１４、画面制御管理部１５、通信制御部１６の各処理部の機能を実現するようになっている。
【００１７】
これらのうち、地図データ取得部１０は、上記各処理部での処理動作に必要となる地図データを地図データ入力部３から取得し、それら処理部に提供する。  マップマッチング部１１は、位置検出部２により検出された車両の現在位置情報、並びに地図データ入力部３から取得した地図データの道路形状データなどに基づいて、車両の現在位置がとの道路上に存在するかを特定する。
【００１８】
経路計算部１２は、マップマッチング部１１で算出された現在位置或いはユーザがスイッチ情報入力部４を通じて指定した出発地から、ユーザによりスイッチ情報入力部４を通じて指定された目的地までの適切な経路を、指定された条件（例えば有料道路優先、一般道優先、距離優先など）に従って計算（探索）するものであり、その手法としては、周知のダイクストラ法などが用いられる。
【００１９】
経路案内部１３は、経路計算部１２により計算された目的地までの経路情報、並びに地図データ取得部１０を通じて取得した地図データ内に含まれる道路形状情報や交差点・踏切などの位置情報などから、表示部（表示器に相当）６の画面表示や音声出力部７による音声ガイドによる案内動作（例えば交差点での右左折の案内、踏切がある旨の注意案内など）に必要な経路案内データを作成するようになっている。
【００２０】
描画部１４は、画面制御管理部１５の指示に従って、現在位置などを示すための各種縮尺の道路地図や、高速道路の略図、交差点付近の拡大図などをビデオＲＡＭに描画（記録）し、表示部６の画面に表示する。それら地図は、地図データ取得部１０によって取得された地図データに基づいて描画されるものであり、地図データ中の文字データに基づいて主要な地名や建造物名なども文字表示するようになっている。また、経路案内時には、地図中に、現在位置及び目的地を表示すると共に、走行すべき経路を他と異なる色で表示し、さらに各種ランドマークなども表示するようになっている。
【００２１】
通信制御部１６は、データ通信部８を通じて車両に設けられたカーオーディオ装置などの外部の音響機器１７との通信制御を行うためのものであり、これにより音響機器１７から後述するように音響情報を取得できるようになっている。  以上のような構成により、制御部９による処理動作を中心として、表示部６の画面に車両の現在位置を道路地図に重ね合せて表示するロケーション機能、ユーザが設定した目的地までの最適な経路を求めて案内する経路探索及び経路案内の機能が実現されるようになっている。
【００２２】
次に上記構成の作用について説明する。
カーナビゲーション装置１を使用しているときは、図２に示すように表示部６に地図が表示されていると共に、車両の現在地及び進行方向を示す現在地マークＡが表示されている。従って、地図上に表示された現在地及び進行方向を確認しながら車両を進行することにより、目的地に到達することができる。また、経路が設定されている場合は、地図上に表示されている経路に従って車両を進行させることにより、目的地に容易に到達することができる。
【００２３】
一方、音響機器１７により音楽を聞いている際に、スペクトラムアナライザ表示を見たい場合は、スイッチに対する操作によりスペクトラムアナライザ表示を指示する。これにより、図３に示すように表示部６の表示画面がスペクトラムアナライザ画面に切換わり、各バンドの周波数成分レベルが動的に変化するので、周波数成分を視覚的に認識することができる。
【００２４】
ところで、上述したように表示部６にカーナビゲーション装置１により地図画面を表示しながら、音響機器１７による音楽演奏中において、スペクトラムアナライザなどの音響情報を表示部６に表示したい場合は、スイッチに対する操作により音響情報表示を指示する。
【００２５】
図４は、制御部９による音響情報の表示処理動作を示している。この図４において、制御部９は、音響情報表示が指示されたときは、まず、音響情報から周波数成分、或は曲名などの所定の音響情報を取得する（Ｓ１）。この音響情報は、各バンドの周波数成分レベルで、音楽の演奏中は動的に変化しており、音響情報表示動作中は常に取得している。
【００２６】
音響情報に周波数成分レベルが含まれていたときは（Ｓ２：ＹＥＳ）、周波数成分レベルに応じて地図表示のカラーパレットを変更すると同時に（Ｓ４）、周波数成分レベルに応じて現在地マーク表示のカラーパレットを変更する（Ｓ５）。
【００２７】
即ち、表示部６に図２に示すような地図が表示されていたとすると、各バンドを地面、水域（図中に示す川）、緑地（図中に示す公園）、道路、空域などの各種別に割り当てる。この場合、各バンドを種別に割当てる方法の一例としては、種別が位置する高度に準じて割当てる。つまり、空域、緑地、道路、地面、水域の順に高いバンド領域を順に割当てる。そして、各バンドの割り当てた種別の色を、当該種別に対応するバンドの周波数成分が高いときは濃く、低いときは淡い色に変化するように制御する。これにより、各バンドの高周波成分レベルの変化に応じて、地図上の種別の濃さが変化するので、音響機器１７から発せられる音楽の周波数成分レベルを視覚的に反映することができる。
【００２８】
具体的には、音響機器１７から出力される音響情報としての高音の周波数成分が優勢の場合は、高音のバンドに対応した空域或は緑地の色が濃くなり、低音の周波数成分が優勢の場合は、低音のバンドに対応した水域或は地面の色が濃くなる。
【００２９】
一方、制御部９は、現在地マークＡの色を周波数成分に応じて虹色に変化させる。つまり、高音の周波数成分が優勢な場合は、現在地マークＡの色を赤色に変化し、低音の周波数成分が優勢な場合は、現在地マークＡの色を青色に変化する。
従って、使用者は、地図を見ながら、同時にスペクトラムアナライザ表示も視覚的に認識することができる。また、地図表示に興趣を与えることができるので、カーナビゲーション装置１による経路案内を楽しむことができる。
【００３０】
一方、図４において、音響機器１７から出力される音響情報が曲名或はアーティスト名を示していた場合は（Ｓ３：ＹＥＳ）、曲名／アーティスト名テーブルより演出データを検索し（Ｓ６）、対応する演出データを地図画面に表示する（Ｓ７）。つまり、例えば「星」というキーワードの場合に対応して星空が記憶されており、「星」というキーワードを取得したときは、図５に示すように地図画面に星空を表示する。また、「雨」というキーワードの場合は、雨の降る様子を表示する。
【００３１】
このような実施の形態によれば、表示部６に地図を表示しながら、音響情報が示す各バンドの周波数成分レベルに応じて当該各バンドに対応した地図上の種別及び現在地マークの色を変更するようにしたので、使用者は、地図表示及び現在地マークを見ながら各バンドの周波数成分レベルを視覚的に認識することができる。
また、音響情報に対応した演出データを地図画面に表示するようにしたので、地図画面の表示に興趣を与えることができ、ナビゲーションを楽しむことができる。
【００３２】
本発明は、上記各実施の形態に限定されることなく、次のように変形または拡張できる。
音響情報に基づいて現在地マークＡの意匠を変更するようにしてもよい。つまり、高周波数成分が優勢となるのに応じて現在地マークＡを上下に振動させることにより、現在地マークＡがあたかも踊っているように表示したり、周波数成分に応じて地図画面に表示している山の高さ、或はビルの高さを変化させたりしてもよい。
また、周波数成分レベルに応じて現在地マークの大きさを変化したり、図６に示すように現在地マークＡから各バンドの周波数成分レベルに対応して複数の突起の高さを変化させるようしてもよい。
【図面の簡単な説明】
【図１】本発明の一実施の形態におけるカーナビゲーション装置を示す機能ブロック図
【図２】地図画面を示す図
【図３】スペクトラムアナライザ表示画面を示す図
【図４】制御部の処理動作を示すフローチャート
【図５】演出データの表示状態で示す図２相当図
【図６】その他の実施例を示す現在地マーカの斜視図
【符号の説明】
６は表示器（表示器）、９は制御部（表示手段、音響情報取得手段）である。
【図１】
2004226623.tif 000003
【図２】
2004226623.tif 000004
【図３】
2004226623.tif 000005
【図４】
2004226623.tif 000006
【図５】
2004226623.tif 000007
【図６】
2004226623.tif 000008